(57)【要約】【課題】低コスト化および軽量化を図ることができる屋根上バルコニーを提供すること。【解決手段】建物の屋根ＲＦの上に立設された手摺２００と、この手摺２００の内側の領域に設けられたバルコニー床１００と、を備えた屋根上バルコニーＢＬであって、手摺２００を、屋根ＲＦの表面を覆って敷設された屋根面材２の端縁部を覆って屋根２から突出されている目地カバー材６に固定し、バルコニー床１００を、床仕上材１１０を屋根面材２の上に直接載置して形成し。【選択図】図１
2007315062.tif 000002
【特許請求の範囲】
【請求項１】
建物の屋根の上に立設された手摺と、
この手摺の内側の領域に設けられたバルコニー床と、
を備えた屋根上バルコニーであって、
前記手摺が、屋根の表面を覆って敷設された屋根面材の端縁部を覆って屋根から突出されている目地カバー材に固定され、
前記バルコニー床が、床仕上材を前記屋根面材の上に直接載置して形成されていることを特徴とする屋根上バルコニー。
【請求項２】
前記バルコニー床は、前記床仕上材を水平方向に複数並べて形成され、
前記床仕上材の裏面には、屋根から突出した目地カバー材との干渉を避ける凹部が形成されていることを特徴とする請求項１に記載の屋根上バルコニー。
【請求項３】
前記手摺は、前記バルコニー床を囲むフレーム部材と、このフレーム部材から立設されて前記バルコニー床の内外を仕切る手摺部材と、を備え、
前記フレーム部材に連結された固定部材を、前記目地カバー材に取り付けて前記目地カバー材に固定されていることを特徴とする請求項１または請求項２に記載の屋根上バルコニー。
【請求項４】
前記目地カバー部材の上下方向の中間部には、前記屋根面材の端縁部に係合すべく幅を狭めたくびれ部が形成され、
前記固定部材は、前記くびれ部に上下方向に係合した状態で固定されていることを特徴とする請求項３に記載の屋根上バルコニー。
【発明の詳細な説明】
【技術分野】
【０００１】
本発明は、建物の屋根の上に設置された屋根上バルコニーに関する。
【背景技術】
【０００２】
従来、建物の屋根の上にバルコニーを設置することが知られている（例えば、特許文献１参照）。
【０００３】
このような屋根上バルコニーは、床板およびこの床板を支持するフレームを備えた床構造体と、この床構造体の周縁に立設された手摺部材と、を備え、床構造体が建物の屋根に固定具により固定されている。
【特許文献１】特開平６−２４０７４１号公報
【発明の開示】
【発明が解決しようとする課題】
【０００４】
しかしながら、従来技術にあっては、床板およびフレームを備えた床構造体を屋根に固定するようにしているため、床構造体は床板を支持するフレームや枠が必要であり、かつ、手摺部材を支持する必要もあり、このため、大型化を招いて、コストアップおよび屋根上重量増を招くという問題があった。
【０００５】
本発明は、上述の問題点に着目して成されたもので、低コスト化および軽量化を図ることができる屋根上バルコニーを提供することを目的とするものである。
【課題を解決するための手段】
【０００６】
本発明は、上述事情に鑑みなされたものであって、請求項１に記載の発明は、建物の屋根の上に立設された手摺と、この手摺の内側の領域に設けられたバルコニー床と、を備えた屋根上バルコニーであって、前記手摺が、屋根の表面を覆って敷設された屋根面材の端縁部を覆って屋根から突出されている目地カバー材に固定され、前記バルコニー床が、床仕上材を前記屋根面材の上に直接載置して形成されていることを特徴としている。
【０００７】
また、請求項２に記載の発明は、請求項１に記載の屋根上バルコニーにおいて、前記バルコニー床は、前記床仕上材を水平方向に複数並べて形成され、前記床仕上材の裏面には、屋根から突出した目地カバー材との干渉を避ける凹部が形成されていることを特徴としている。
【０００８】
また、請求項３に記載の発明は、請求項１または請求項２に記載の屋根上バルコニーにおいて、前記手摺は、前記バルコニー床を囲むフレーム部材と、このフレーム部材から立設されて前記バルコニー床の内外を仕切る手摺部材と、を備え、前記フレーム部材に連結された固定部材を、前記目地カバー材に取り付けて前記目地カバー材に固定されていることを特徴としている。
【０００９】
また、請求項４に記載の発明は、請求項３に記載の屋根上バルコニーにおいて、前記目地カバー部材の上下方向の中間部には、前記屋根面材の端縁部に係合すべく幅を狭めたくびれ部が形成され、前記固定部材は、前記くびれ部に上下方向に係合した状態で固定されていることを特徴としている。
【発明の効果】
【００１０】
請求項１に記載の発明では、手摺を屋根から突出した目地カバー材に固定し、バルコニー床は、床仕上材を屋根面材の上に直接載置して形成するようにしたため、従来のように、床仕上材を支持するフレームや梁が不要となり、バルコニー床の構造を簡略化できる。
これにより、製造コストを抑えることができるとともに、屋根上重量を軽減することができる。
【００１１】
さらに、請求項２に記載の発明では、床仕上材を水平方向に複数並べてバルコニー床を形成するようにしたため、バルコニー床の大きさを、床仕上材を加工すること無しに床仕上材の大きさの単位で調節することができ、設計自由度に優れる。
【００１２】
しかも、床仕上材の裏側には、屋根から突出した目地カバー材との干渉を避ける凹部が形成されているため、屋根に目地カバー材が突出していても、床仕上材を加工することなく床仕上材を屋根面材上に敷設することができ、作業性に優れる。
【００１３】
また、請求項３に記載の発明では、手摺部材をフレーム部材に立設したため、手摺部材の位置が目地カバー材の位置に規制されることが無く、設計自由度に優れる。すなわち、手摺部材を直接目地カバー材に取り付ける場合、その柱の位置などが目地カバー材の位置に制限されることで、その分、設計自由度が低くなる。それに対し、フレーム部材に手摺部材を立設すると、手摺部材の柱などの位置は、フレーム部材上ではどの位置でもよく、目地カバー材の位置に制限されることがなく、それだけ設計自由度が高くなる。
【００１４】
加えて、手摺部材を立設する場合、目地カバー材に直接立設するのと比較して、フレーム部材に立設する場合には、溶接などの強固な結合手段も可能であり、手摺強度を確保するのが容易となる。
【００１５】
また、請求項４に記載の発明では、固定部材を目地カバー部材のくびれ部に係合させた状態で固定するようにしたため、くびれ部に係合させない場合に比べて、固定強度の確保が容易となる。
【発明を実施するための最良の形態】
【００１６】
以下、本発明の実施の形態を図面に基づいて説明する。
（実施の形態１）
まず、実施の形態１の屋根上バルコニーについて説明する前に、この屋根上バルコニーを適用する建物の屋根構造について説明する。
【００１７】
図２は建物の屋根ＲＦの要部を示す断面図で、屋根ＲＦには、下地材１を覆って複数の屋根面材２，２が敷設され、これらの屋根面材２，２の端縁部が目地カバー材６に覆われている。
【００１８】
屋根面材２は、ステンレス鋼板や塩化ビニル樹脂被覆鋼板等の金属板（板厚０．３〜０．６ｍｍ）で形成されており、図３に示すように、平坦な四角形の屋根面材屋根面材本体２１と、屋根面材本体２１の両側端縁部で立ち上げられた立上げ片２２，２２と、を有している。さらに、立上げ片２２は、屋根面材本体２１から略直角に立ち上げられた基端立上げ部２２ａと、この基端立上げ部２２ａの先端から内側の斜め下方に折り曲げて形成された横片部２２ｂと、この横片部２２ｂの先端から外側の斜め上方に折り曲げて形成された先端立上げ部２２ｃと、を備えている。
【００１９】
そして、図２に示すように、屋根面材２，２を下地材１の上に並べて設置した状態で、立上げ片２２，２２が空間部ＳＰを挟んで対向して配置されている。そして、この空間部ＳＰにアンカクリップ４が挿入され、このアンカクリップ４をビス４４で下地材１に結合することで、屋根面材２，２が下地材１に固定されている。
【００２０】
このアンカクリップ４は、ステンレス鋼板や塩化ビニル樹脂被覆鋼板等の金属板で形成されており、図４に示すように、上方を開口した断面略コ字形の本体４１と、本体４１の両側の先端を、立上げ片２２の横片部２２ｂおよび先端立上げ部２２ｃに沿うように略くの字形に折り曲げられた係合片４２，４２と、本体４１の底面に複数開口されたビス穴４３と、を備えている。そして、本体４１を立上げ片２２の基端立上げ部２２ａ，２２ａに沿わせ、係合片４２，４２を横片部２２ｂ，２２ｂおよび先端立上げ部２２ｃ，２２ｃに沿わせた状態で、ビス穴４３にビス４４を差し込んで下地材１に固定することで、立上げ片２２，２２がアンカクリップ４に上下方向および水平方向に係合し、屋根面材２，２が下地材１に固定されている。
【００２１】
さらに、空間部ＳＰは、その上端部を止水材５により塞がれている。この止水材５は、図５に示すように、長尺かまばこ形の本体５１と、本体５１の底部両側において下方に突出された一対の脚部５２，５２と、からなり、脚部５２，５２を、屋根面材２の立ち上げ片２２の先端立上げ部２２ｃの外側に沿わせて取り付けられている。
【００２２】
この止水材５は、目地カバー材６の弾性力により立上げ片２２に圧接された状態に維持されている。目地カバー材６は、弾性材であるステンレス鋼板や塩化ビニル樹脂被覆鋼板等の金属板（板厚０．３〜０．６ｍｍ）で形成され、図６に示すように、下方が開放された長尺略円筒形の本体６１と、本体６１の下端部に設けられ、下端部どうしが近づくように絞った上で先端を外側に折り曲げた略くの字断面形状の係合片６２と、を備えている。
【００２３】
そして、上記目地カバー材６は、図２に示すように、本体６１が止水材５を上方から押圧した状態で外側から覆うととともに係合片６２，６２が立上げ片２２の横片部２２ｂに上下方向に係合されており、この係合により、本体６１が止水材５を押圧した圧接状態が維持されている。
【００２４】
次に、実施の形態１の屋根上バルコニーＢＬの構成について説明する。
実施の形態１の屋根上バルコニーＢＬは、図１に示すように、屋根ＲＦの上に略長方形形状に敷設されたバルコニー床１００と、このバルコニー床１００の三方を囲んで設けられた手摺２００とを備えている。
【００２５】
まず、手摺２００の構造について説明すると、この手摺２００は、フレーム部材２１０と手摺部材２２０とを備えている。
【００２６】
フレーム部材２１０は、手摺部材２２０を支持するもので、２本の四角筒状の妻側手摺受フレーム２１１，２１１の先端に、１本の四角筒状の桁側手摺受フレーム２１２を結合させることで上方から視て略コの字状に形成されている。なお、この結合は、例えば、妻側手摺受フレーム２１１，２１１の先端に形成したフランジを、ボルトおよびナットにより桁側手摺受フレームの側面に固定することで行うことができる。
【００２７】
そして、桁側手摺受フレーム２１２の６箇所が、屋根ＲＦから上方に突出して設けられている目地カバー材６に固定部材２３０により固定され、各妻側手摺受フレーム２１１，２１１の４箇所が、目地カバー材６に固定部材２４０により固定されている。
【００２８】
ここで、固定部材２３０，２４０について説明すると、各固定部材２３０，２４０は、共通する固定金具２５０と、それぞれ形状が異なる固定プレート２３１，２４１とを備えている。
【００２９】
まず、両固定部材２３０，２４０に共通して用いられている固定金具２５０について図２，図７，図８により説明する。
【００３０】
この固定金具２５０は、目地カバー材６を挟持する一対の挟持プレート２５１，２５１と、これを締結する２組のボルト２５２，２５２およびナット２５３，２５３と、を備えている。
【００３１】
挟持プレート２５１は、側面視で略長方形を成す固定片部２５１ａ（図１０参照）と、この固定片部２５１ａから下方に延在され、目地カバー材の外周を覆うように湾曲されるとともに、目地カバー材６の係合片６２のくびれ形状部分に係合可能な湾曲片部２５１ｂと、を備えている（図２参照）。そして、一対の挟持プレート２５１の固定片部２５１ａ，２５１ａどうしを対向させてボルト２５２およびナット２５３で締結することで、湾曲片部２５１ｂ．２５１ｂが目地カバー材６を上方から覆った状態で挟持し、かつ、係合片６２のくびれ形状部分に係合した状態で固定される。
【００３２】
一方の固定プレート２３１は、固定金具２５０と桁側手摺受フレーム２１２とを結合させるもので、略長方形の長板の２箇所を略９０度に折曲して形成されており、折曲部分を挟んで一体の被挟持片２３１ａと連結片２３１ｂと被固定片２３１ｃとを備えている。
【００３３】
そして、被挟持片２３１ａが、固定金具２５０の固定片部２５１ａ，２５１ａの間に挟持されてボルト２５２およびナット２５３により共締めされている（図２参照）。また、被固定片２３１ｃが、桁側手摺受フレーム２１２に当接された状態でボルト２３２およびナット２３３により桁側手摺受フレーム２１２に固定されている。
【００３４】
他方の固定プレート２４１は、固定金具２５０と妻側手摺受フレーム２１２とを結合させるもので、図９および図１０に示すように、略長方形の長板の１箇所を略９０度に折曲して上面視で略Ｌ字状に形成されたもので、折曲部分を挟んで一体の被挟持片２４１ａと被固定片２４１ｂとを備えている。
【００３５】
そして、被挟持片２４１ａが、固定金具２５０の固定片部２５１ａ，２５１ａの間に挟持されてボルト２５２およびナット２５３により共締めされている。また、被固定片２４１ｂが、妻側手摺受フレーム２１１に当接された状態でボルト２４２，２４２およびナット２４３，２４３により妻側手摺受フレーム２１１に固定されている。
【００３６】
なお、固定金具２５０は、上述したように、目地カバー材６に係合されており、この目地カバー材６は、屋根面材２の一対の立上げ片２２，２２にしっかりと係合されており、これら一対の立上げ片２２，２２は、アンカクリップ４により下地材１に固定されている。よって、固定金具２５０は、目地カバー材６、屋根面材２、アンカクリップ４を介して下地材１に固定されている。
【００３７】
手摺部材２２０は、図２および図１１に示すように、複数の控柱２２１，２２２および手摺パネル２２３を供えている。
控柱２２１，２２２として、桁側手摺受フレーム２１２に立設された２本の控柱２２１，２２１と、妻側手摺受フレーム２１１に立設された２本の控柱２２２，２２２と、を備えている。
【００３８】
ここで、各控柱２２１の取付構造を説明すると、図１２に示すように、控柱２２１の下端部に、桁側手摺受フレーム２１２の上面および両側面に当接する略コの字断面形状の取付片２２４が溶接などにより結合されている。そして、この取付片２２４が、ボルト２２５，２２５およびナット２２６，２２６により桁側手摺受フレーム２１２に固定されている。なお、控柱２２２についても、図示は省略するが、同様の取付片２２４、ボルト２２５、ナット２２６を用いて固定されている。
【００３９】
手摺パネル２２３は、各控柱２２１，２２２の間に掛け渡され、図示を省略した締結手段により控柱２２１，２２２に取り付けられている。
【００４０】
次に、バルコニー床１００について説明する。
このバルコニー床１００は、屋根ＲＦの屋根面材２の上に図１３に示す床仕上材１１０を水平方向に複数並べて形成されている。
【００４１】
この床仕上材１１０は、樹脂を素材として一体成型されており、上方から視て略正方形の本体１１１と、この本体１１１から下方に突出された複数の脚部１１２と、を備えている。
【００４２】
さらに、床仕上材１１０は、それぞれ隣り合って配置された床仕上材１１０に係合されている。すなわち、本体１１１の外周の２辺の位置には、係合穴１１３を有した係合受片１１４が本体１１１と一体に側方へ突出して形成されている。一方、本体１１１の残りの２辺の端縁部の下面には、係合穴１１３に挿入可能な係合突片１１５が本体１１１に一体に下方に突出して形成されている。そして、床仕上材１１０の係合突片１１５を、隣り合う床仕上材１１０の係合受片１１４の係合穴１１３に挿入させて、床仕上材１１０を水平方向へ連続させて結合させている。
【００４３】
また、本体１１１の下面には、屋根ＲＦの表面から突出している目地カバー材６を挿通させることが可能な凹部１１６が形成されており、図１に示す設置状態において、目地カバー材６は、この凹部１１６を通して配置され、脚部１１２が屋根面材２の屋根面材本体２１に当接されている。
なお、本体１１１の下面には、帯電防止材１１７が貼り付けられている。
【００４４】
次に、実施の形態１の作用について説明する。
本実施の形態１の屋根上バルコニーＢＬでは、バルコニー床１００と手摺２００とをそれぞれ屋根ＲＦの上に設置する。
【００４５】
この手摺２００の設置は、各手摺受フレーム２１１，２１２を所定の位置に配置し結合してフレーム部材２１０を形成し、さらに、各手摺受フレーム２１１，２１２を各固定部材２３０，２４０で目地カバー材６に固定することで行う。
【００４６】
すなわち、固定プレート２３１の被固定片２３１ｃを桁側手摺受フレーム２１２にボルト２３２およびナット２３３で固定し、固定プレート２３１の被挟持片２３１ａを固定金具２５０で挟持させた状態で、この固定金具２５０を目地カバー材６に固定する。
【００４７】
また、固定プレート２４１の被固定片２４１ｂを妻側手摺受フレーム２１１にボルト２４２およびナット２４３で固定し、固定プレート２４１の被挟持片２４１ａを固定金具２５０で挟持させた状態で、この固定金具２５０を目地カバー材６に固定する。
【００４８】
そして、各手摺受フレーム２１１，２１２の所定位置に、それぞれ控柱２２１，２２２を取り付け、各控柱２２１，２２２の間に手摺パネル２２３を架け渡した状態で取り付ける。
【００４９】
また、バルコニー床１００の設置は、手摺２００の内側位置において、屋根ＲＦの上に床仕上材１１０を直接敷設することで行う。
【００５０】
以上のように、実施の形態１の屋根上バルコニーＢＬは、バルコニー床１００を設置するのにあたり、樹脂製の床仕上材１１０を屋根ＲＦの上に直接敷き詰め、手摺２００の各手摺受フレーム２１１，２１２は、手摺部材２２０を支持するだけの構造としたため、バルコニー床１００をフレームなどで屋根ＲＦの上に支持する構造と比較して、構成の簡略化を図り、低コスト化および屋根上重量の低減を図ることができる。
【００５１】
しかも、上方から視て略正方形の床仕上材１１０を水平方向に複数並べてバルコニー床１００を形成するようにしたため、バルコニー床１００の面積を、床仕上材１００を加工すること無しに床仕上材１１０の外寸単位で調節することができ、設計自由度に優れる。
【００５２】
さらに、床仕上材１１０どうしの結合は、床仕上材１１０に一体に形成した係合受片１１４と係合突片１１５との係合で行うようにしたため、ネジやクリップなどを用いて結合させるのに比較して、部品点数を削減でき、コストダウンおよび軽量化を図ることができる。
【００５３】
加えて、床仕上材１１０の裏側には、屋根ＲＦから突出した目地カバー材６との干渉を避ける凹部１１６が形成されているため、屋根ＲＦに目地カバー材６が突出していても、床仕上材１１０を加工することなく目地カバー材６と干渉することなく床仕上材１１０を屋根面材２の上に敷設することができ、作業性に優れる。
【００５４】
また、各手摺受フレーム２１１，２１２は、固定部材２３０，２４０を用いて目地カバー材６に固定するようにしたために、屋根ＲＦに釘やネジを用いて固定するのに比べて、固定作業が容易であるとともに、防水加工が不要であり、構造の簡略化を図ることができる。
【００５５】
しかも、手摺部材２２０をフレーム部材２１０に立設したため、手摺部材２００の控柱２２１，２２２を立設させる位置が目地カバー材６の位置に規制されることが無く、設計自由度に優れる。加えて、手摺部材２２０を目地カバー材６に直接立設するのと比較して、強固に結合させることができ、手摺強度を確保するのが容易となる。
【００５６】
また、固定金具２５０を目地カバー材６の係合片６２におけるくびれ部分に係合させた状態で固定するようにしたため、くびれ部分に係合させない場合に比べて、固定強度の確保が容易となる。
【００５７】
加えて、止水材５は、屋根面材２，２の端縁の立上げ片２２の間を閉塞するよう取り付けられており、目地カバー材６は、止水材５を押圧して外側から覆って屋根面材２に取り付けられている。このため、止水材５が屋根面材２，２の立上げ片２２に密着され、漏水しにくく信頼性の高い防水構造となっている。さらに、止水材５は、目地カバー材６の弾性力により屋根面材２の立上げ片２２に圧接されているため、止水材５に経年劣化が生じても、立上げ片２２への圧接状態を長く維持でき、高い防水性能が維持される。
【００５８】
また、目地カバー材６の取り付けは、２つの立上げ片２２，２２の横片部２２ｂ，２２ｂにより形成されたくびれ形状部分に嵌め込むだけであるので、施工作業が容易である。
【００５９】
以上、図面を参照して、本発明の実施の形態１について詳述してきたが、具体的な構成は、この実施の形態１に限定されるものではなく、本発明の要旨を逸脱しない程度の設計的変更は、本発明に含まれる。
【００６０】
すなわち、実施の形態１では、手摺２００を屋根ＲＦに取り付けるのにあたりフレーム部材２１０を用いたが、手摺部材２２０の控柱２２１，２２２を直接目地カバー材６に固定するなどのように手摺部材２２０を直接屋根ＲＦに取り付けるようにしてもよい。
【００６１】
また、この手摺２００の固定には固定プレート２３１，２４１および固定金具２５０を備えた固定部材２３０，２４０を用いたが、その構成はこれに限定されない。例えば、複数のプレートを介在させて、長さを調節可能に構成してもよい。同様に、固定金具２５０の構成も、目地カバー材６に固定できるものであれば、実施の形態１で示したものに限定されない。
【図面の簡単な説明】
【００６２】
【図１】本発明の実施の形態１の屋根上バルコニーＢＬを屋根ＲＦに設置した状態を示す平面図である。
【図２】本発明の実施の形態１の屋根上バルコニーＢＬの要部を示す断面図であり、図１のＳ２−Ｓ２線で切断した状態を示している。
【図３】本発明の実施の形態１の屋根上バルコニーＢＬを設置した屋根ＲＦの屋根面材２を示す図であって、（ａ）は屋根面材２の斜視図、（ｂ）は屋根面材２の断面図である。
【図４】本発明の実施の形態１の屋根上バルコニーＢＬを設置した屋根ＲＦのアンカクリップ４を示す斜視図である。
【図５】本発明の実施の形態１の屋根上バルコニーＢＬを設置した屋根ＲＦの止水材５を示す斜視図である。
【図６】本発明の実施の形態１の屋根上バルコニーＢＬを設置した屋根ＲＦの目地カバー材６を示す斜視図である。
【図７】本発明の実施の形態１の屋根上バルコニーＢＬの固定部材２３０による固定部分を示す平面図である。
【図８】本発明の実施の形態１の屋根上バルコニーＢＬの固定部材２３０による固定部分を示す断面図であって、図１のＳ８−Ｓ８線で切断した状態を示す。
【図９】本発明の実施の形態１の屋根上バルコニーＢＬの固定部材２４０による固定部分を示す平面図である。
【図１０】本発明の実施の形態１の屋根上バルコニーＢＬの固定部材２４０による固定部分を示す断面図であって、図１のＳ１０−Ｓ１０線で切断した状態を示す。
【図１１】本発明の実施の形態１の屋根上バルコニーＢＬを屋根ＲＦに設置した状態を示す正面図であって、図１の矢印ＹＳ方向から見た状態を示している。
【図１２】本発明の実施の形態１の屋根上バルコニーＢＬの桁側手摺受フレーム２１２の控柱２２１の取付状態の一例を示す斜視図である。
【図１３】本発明の実施の形態１の屋根上バルコニーＢＬに用いた床仕上材１１０を示す４面図であって、（ａ）は背面図、（ｂ）は平面図、（ｃ）は正面図、（ｄ）は側面図である。
【符号の説明】
【００６３】
ＢＬ   屋根上バルコニー
ＲＦ   屋根
２     屋根面材
６     目地カバー材
６２   係合片（くびれ部）
１００ バルコニー床
１１０ 床仕上材
１１６ 凹部
２００ 手摺
２１０ フレーム部材
２２０ 手摺部材
２３０ 固定部材
２４０ 固定部材
２５０ 固定金具
【図１】
2007315062.tif 000003
【図２】
2007315062.tif 000004
【図３】
2007315062.tif 000005
【図４】
2007315062.tif 000006
【図５】
2007315062.tif 000007
【図６】
2007315062.tif 000008
【図７】
2007315062.tif 000009
【図８】
2007315062.tif 000010
【図９】
2007315062.tif 000011
【図１０】
2007315062.tif 000012
【図１１】
2007315062.tif 000013
【図１２】
2007315062.tif 000014
【図１３】
2007315062.tif 000015